(57)【要約】【課題】容易にフォトモザイクを作成することができる画像処理装置、画像処理方法、画像処理プログラムおよび撮像装置を提供する。【解決手段】第１の画像を複数のブロックに分割するブロック分割部と、複数のブロックに関する情報を取得する情報取得部と、入力される第２の画像に関する情報とブロックに関する情報を比較する比較部と、比較部による比較結果に応じて、ブロックにおける画像を第２の画像に置換する画像処理部とを備える画像処理装置である。【選択図】  図１
2013246576.tif 000002
【特許請求の範囲】
【請求項１】
第１の画像を複数のブロックに分割するブロック分割部と、
前記複数のブロックに関する情報を取得する情報取得部と、
入力される第２の画像に関する情報と前記ブロックに関する情報を比較する比較部と、
該比較部による比較結果に応じて、前記ブロックにおける画像を前記第２の画像に置換する画像処理部と
を備える画像処理装置。
【請求項２】
前記比較部による比較結果をユーザに提示する提示部を更に備える
請求項１に記載の画像処理装置。
【請求項３】
前記情報取得部は、前記ブロックに関する情報として前記ブロックの色相を取得する
請求項１に記載の画像処理装置。
【請求項４】
前記情報取得部は、前記ブロックに関する情報として前記ブロックの輝度を取得する
請求項１に記載の画像処理装置。
【請求項５】
前記提示部は、前記ブロックに関する情報と、前記入力された第２の画像の色相とを、視覚的に分かるように提示する
請求項２に記載の画像処理装置。
【請求項６】
前記提示部は、色相環上に前記ブロックの色相と、前記入力された第２の画像の色相を表示することにより前記比較結果を提示する
請求項５に記載の画像処理装置。
【請求項７】
前記提示部は、輝度を示す棒グラフ上に前記ブロックの輝度と、前記入力された第２の画像の輝度を表示することにより前記比較結果を提示する
請求項５に記載の画像処理装置。
【請求項８】
前記提示部はさらに、前記ブロックの色相を、入力すべき画像の色相としてユーザに提示する
請求項２に記載の画像処理装置。
【請求項９】
前記提示部はさらに、前記ブロックの色相に関連する被写体名を入力すべき画像の被写体として提示する
請求項８に記載の画像処理装置。
【請求項１０】
前記提示部はさらに、前記ブロックの色相に関連する撮影場所名を入力すべき画像の被写体として提示する
請求項８に記載の画像処理装置。
【請求項１１】
前記提示部は、入力すべき画像を得るための撮像装置の設定情報を提示する
請求項２に記載の画像処理装置。
【請求項１２】
前記比較部は、通常より緩い条件で前記第２の画像に関する情報と前記ブロックに関する情報を比較するモードを備える
請求項１に記載の画像処理装置。
【請求項１３】
前記ブロックの色相と、前記第２の入力画像の色相とが一致するように前記第２の画像に対して画像補正処理を施す画像補正部をさらに備える
請求項１２に記載の画像処理装置。
【請求項１４】
前記ブロックの輝度と、前記第２の入力画像の輝度とが一致するように前記第２の画像に対して画像補正処理を施す画像補正部をさらに備える
請求項１２に記載の画像処理装置。
【請求項１５】
第１の画像を複数のブロックに分割し、
前記複数のブロックに関する情報を取得し、
入力される第２の画像に関する情報と前記ブロックに関する情報を比較し、
比較結果に応じて、前記ブロックにおける画像を前記第２の画像に置換する
画像処理方法。
【請求項１６】
第１の画像を複数のブロックに分割し、
前記複数のブロックに関する情報を取得し、
入力される第２の画像に関する情報と前記ブロックに関する情報を比較し、
比較結果に応じて、前記ブロックにおける画像を前記第２の画像に置換する
画像処理方法をコンピュータに実行させる画像処理プログラム。
【請求項１７】
光学系を介した光を受光して画像を生成する撮像部と、
第１の画像を複数のブロックに分割するブロック分割部と、
前記複数のブロックに関する情報を取得する情報取得部と、
前記撮像部により生成される第２の画像に関する情報と前記ブロックに関する情報を比較する比較部と、
該比較部による比較結果に応じて、前記ブロックにおける画像を前記第２の画像に置換する画像処理部と
を備える撮像装置。
【発明の詳細な説明】
【技術分野】
【０００１】
本技術は、画像処理装置、画像処理方法、画像処理プログラムおよび撮像装置に関する。
【背景技術】
【０００２】
近年、フォトモザイクと称される画像が普及してきている。フォトモザイクとは、多数の画像をモザイクのように組み合わせることにより作成される画像である。フォトモザイクの作成には、多数の画像を用意し、その中かからモザイクのタイルとして使用する画像を適切に選択するなどの高度な技術が必要とある。
【０００３】
そこで、専門的な技術などがなくてもフォトモザイクを作成することを可能とするフォトモザイク画像生成装置が提案されている（特許文献１）。
【先行技術文献】
【特許文献】
【０００４】
【特許文献１】特開２０１１−５５３９８号公報
【発明の概要】
【発明が解決しようとする課題】
【０００５】
しかし、特許文献１に記載の技術は、撮像装置の画像をフォトモザイク作成装置へ転送し、そこでマスに該当する画像を当てはめるものである。ゆえに、フォトモザイクを作成する過程をユーザに提示することはなく、ユーザが自らフォトモザイクを作成したという実感を持ちにくいものとなっている。
【０００６】
本技術は、このような点に鑑みてなされたものであり、容易にフォトモザイクを作成することができる画像処理装置、画像処理方法、画像処理プログラムおよび撮像装置を提供することを目的とする。
【課題を解決するための手段】
【０００７】
上述した課題を解決するために、第１の技術は、第１の画像を複数のブロックに分割するブロック分割部と、複数のブロックに関する情報を取得する情報取得部と、入力される第２の画像に関する情報とブロックに関する情報を比較する比較部と、比較部による比較結果に応じて、ブロックにおける画像を第２の画像に置換する画像処理部とを備える画像処理装置である。
【０００８】
また、第２の技術は、第１の画像を複数のブロックに分割し、複数のブロックに関する情報を取得し、入力される第２の画像に関する情報とブロックに関する情報を比較し、比較結果に応じて、ブロックにおける画像を第２の画像に置換する画像処理方法である。
【０００９】
また、第３の技術は、第１の画像を複数のブロックに分割し、複数のブロックに関する情報を取得し、入力される第２の画像に関する情報とブロックに関する情報を比較し、比較結果に応じて、ブロックにおける画像を第２の画像に置換する画像処理方法をコンピュータに実行させる画像処理プログラムである。
【００１０】
また、第４の技術は、光学系を介した光を受光して画像を生成する撮像部と、第１の画像を複数のブロックに分割するブロック分割部と、複数のブロックに関する情報を取得する情報取得部と、撮像部により生成される第２の画像に関する情報とブロックに関する情報を比較する比較部と、比較部による比較結果に応じて、ブロックにおける画像を第２の画像に置換する画像処理部とを備える撮像装置である。
【発明の効果】
【００１１】
本技術によれば、容易にユーザが自らフォトモザイクを作成することができる。
【図面の簡単な説明】
【００１２】
【図１】図１は、本技術の第１の実施の形態に係る画像処理装置の構成を示すブロック図である。
【図２】図２は、画像処理装置を備える撮像装置の構成を示すブロック図である。
【図３】図３は、画像処理装置によって行われる処理の流れを示すフローチャートである。
【図４】図４Ａは、目標画像受け付けの際の表示画面の例であり、図４Ｂは、ブロックに分割された目標画像の表示画面の例であり、図４Ｃは、アドバイスの表示画面の例である。
【図５】図５Ａは、アドバイス表示画面の例であり、図５Ｃは、アドバイスの表示画面の例である。
【図６】図６は、画像比較判定の流れを示すフローチャートである。
【図７】図７は、画像比較判定の第２の例の流れを示すフローチャートである。
【図８】図８は、比較結果表示画面の第１の態様を示す図である。
【図９】図９は、比較結果表示画面の第２の態様を示す図である。
【図１０】図１０は、色相および輝度を算出する式を示す図である。
【図１１】図１１は、ブロックの画像を入力画像に置き換える際の表示画面の態様を示す図である。
【図１２】図１２は、本技術の第２の実施の形態に係る画像処理装置の構成を示すブロック図である。
【図１３】図１３は、画像処理装置を備える撮像装置の構成を示すブロック図である。
【図１４】図１４は、第２の実施の形態に係る画像処理装置によって行われる処理の流れを示すフローチャートである。
【図１５】図１５は、入力画像に一致するブロックをユーザに提示する表示画面の例を示す図である。
【発明を実施するための形態】
【００１３】
以下、本技術の実施の形態について図面を参照しながら説明する。ただし、本技術は以
下の実施の形態のみに限定されるものではない。なお、説明は以下の順序で行う。
＜１．第１の実施の形態＞
［１−１．画像処理装置の構成］
［１−２．画像処理装置を備える撮像装置の構成］
［１−３．画像処理装置による処理］
＜２．第２の実施の形態＞
［２−１．画像処理装置の構成］
［２−２．画像処理装置による処理］
＜３．変形例＞
【００１４】
＜１．実施の形態＞
［１−１．画像処理装置の構成］
図１は、本技術に係る画像処理装置１の構成を示すブロック図である。画像処理装置１は、ブロック分割部２、情報取得部３、アドバイス決定部４、提示部５、比較部６、画像処理部７から構成されている。
【００１５】
上述したように、フォトモザイクは、例えば、多数の写真などの小さい画像をモザイクのように組み合わせて１枚の大きな画像を作成するものである。フォトモザイクは、離れて観察した場合には１枚の写真のように見える一方で、近くで観察した場合は、モザイクのタイルとなる個々の画像が１枚１枚見えるように生成される。
【００１６】
ブロック分割部２には、外部から、最終的に生成されるフォトモザイクの目標となる画像（以下、目標画像と称する）が入力される。撮像装置が画像処理装置１の機能を備える場合には、撮像装置による撮像で得られた画像または、撮影済みで撮像装置のメモリに保存された画像が目標画像として入力される。また、撮像装置、パーソナルコンピュータ、スマートフォンなどにおいては、撮影済みでＨＤＤ（Hard Disc Drive）などの保存された画像を目標画像として入力してもよい。また、画像処理装置１がテンプレート画像としてあらかじめ保持している画像が目標画像として入力されるようにしてもよい。
【００１７】
そして、ブロック分割部２は入力された目標画像を所定のサイズの複数のブロックに分割する。目標画像は、縦方向横方向に等間隔で分割され、通常、全てのブロックは同一サイズとされる。この分割されたブロックが全て他の画像に置き換えられることにより最終的にフォトモザイクが完成する。ブロックのサイズおよび数はユーザが任意に指定することができるようにするとよい。また、あらかじめ画像処理装置１内で設定してあるものでよいし、入力される目標画像のサイズに基づいて定めてもよい。
【００１８】
複数のブロックに分割された目標画像は情報取得部３に供給される。情報取得部３は、供給された目標画像に対して所定の解析処理を行うことによって例えば、目標画像の全ブロックのＲＧＢデータから色相および輝度を取得する。情報取得部３は解析により取得した色相および輝度を示す情報をアドバイス決定部４および比較部６に供給する。
【００１９】
アドバイス決定部４は、最適な画像の入力をユーザに促すためにユーザに提示するアドバイスの内容を決定するものである。アドバイスとしては、入力すべき画像の色、その色の画像を撮影で得るために最適な撮影場所、被写体などである。
【００２０】
例えば、あらかじめアドバイス決定部４が色相と撮影場所、被写体などを対応させたテーブルを保持させておき、色相に基づいてそのテーブルを参照することにより最適な撮影場所、被写体などを決定することができる。色相に対応する撮影場所、被写体などが複数ある場合には、その中からランダムに提示してもよい。また、画像処理装置１が適用される撮像装置などの機器がＧＰＳ（Global Positioning System）機能を備えている場合には、ＧＰＳによりその機器を持つユーザの位置を把握し、ユーザの位置に近い撮影場所、被写体などを提示するようにしてもよい。
【００２１】
さらに、アドバイス決定部４は、画像処理装置１が適用される撮像装置などの機器の時計機能から時刻情報を取得し、時刻に基づいてアドバイスを決定してもよい。例えば、「Need color」が赤色であり、時刻が夕方の場合には「Photo Spot」として空を撮影することをアドバイスする、などである。これも、時刻と色相と撮影場所、被写体を対応させたテーブルを保持しておき、それを参照することにより行うことができる。
【００２２】
さらに、アドバイスとしては、撮像についての各種設定についてのアドバイスがある。撮像についてのアドバイスとしては、露出値、Ｆ値（絞り値）、シャッタースピード、ホワイトバランス、撮像装置特有のエフェクト機能などの撮像装置の各種設定が提示される。この撮像装置の各種設定は、情報取得部３によって取得したブロックの色相、輝度などに基づいて決定するとよい。例えば、選択されたブロックが黒いために暗い画像を入力画像とする必要がある場合にはシャッタースピードを速くする、などである。
【００２３】
アドバイス決定部４により決定されたアドバイスの内容は提示部５に供給される。提示部５は、アドバイス決定部４により決定されたアドバイスをユーザに提示するものである。提示方法としては、ディスプレイなどの表示デバイスに表示する、アドバイス内容を示す音声を出力するなどがある。
【００２４】
比較部６には、情報取得部３によって取得された情報と、ユーザがフォトモザイク作成のために各ブロックに置換しようとする画像（以下、入力画像と称する。）が入力される。さらに、複数のブロックの中からユーザが選択したブロックを示す情報も入力される。そして、比較部６は、ユーザにより選択されたブロック（以下、選択ブロックと称する。）と入力画像とを比較して、それらが一致しているか否かを判定する。比較判定の詳細については後述する。比較部６による比較結果は提示部５に供給され、提示部５によりユーザに提示される。ユーザへの提示方法については後述する。また、比較部６による比較結果は画像処理部７に供給される。
【００２５】
画像処理部７は、比較部６による比較結果に基づき、選択ブロックと一致すると判定された入力画像を、選択ブロックの画像と置換する。これを全てのブロックについて繰り返して、全てのブロックの画像が入力画像と置換されることにより最終的にフォトモザイクが生成される。
【００２６】
画像処理装置１は、以上のように構成されている。ブロック分割部２、情報取得部３、アドバイス決定部４、比較部６、画像処理部７は、例えば、ＣＰＵ（Central Processing Unit）、ＲＡＭ（Random Access Memory）およびＲＯＭ（Read Only Memory）から構成される制御部により所定のプログラムが実行されることなどにより実現される。ＲＯＭには、ＣＰＵにより読み込まれ動作されるプログラムなどが記憶されている。ＲＡＭはＣＰＵのワークメモリとして用いられる。
【００２７】
ただし、画像処理装置１は、プログラムによって実現されるのみでなく、ブロック分割部２、情報取得部３、アドバイス決定部４、提示部５、比較部６、画像処理部７それぞれの機能を有するハードウェアを組み合わせた専用の装置として実現されてもよい。
【００２８】
画像処理装置１は、撮像装置、パーソナルコンピュータ、スマートフォンなどにあらかじめ搭載、またはプログラムとして提供されてインストールされる。プログラムを流通させる場合には、例えば、そのプログラムが記録された光ディスクや半導体メモリなどの可搬型記録媒体が提供または販売される。また、プログラムをサーバに格納しておき、ネットワークを介してそのプログラムを提供、販売することもできる。
【００２９】
プログラムを実行するコンピュータは、例えば、可搬型記録媒体に記録されたプログラムまたはサーバから転送されたプログラムを自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバからプログラムが転送されるごとに、逐次、受け取ったプログラムに従った処理を実行することもできる。
【００３０】
［１−２．画像処理装置を備える撮像装置の構成］
次に、画像処理装置１を備える撮像装置１００の構成について説明する。上述したように、本技術に係る画像処理装置１は、例えば、撮像装置１００において用いられる。
【００３１】
以下、上述した画像処理装置１１を備える撮像装置１００の構成の一例について説明する。図１２は撮像装置１００の全体構成を示すブロック図である。
【００３２】
撮像装置１００は、光学撮像系１１、撮像素子１２、タイミングジェネレータ１３、前処理回路１４、カメラ処理回路１５、画像メモリ１６、制御部１７、グラフィックＩ／Ｆ（Interface）１８、表示部１９、入力部２０、Ｒ／Ｗ（リーダ／ライタ）２１および記憶媒体２２から構成されている。これらのうち、光学撮像系１１、タイミングジェネレータ１３、前処理回路１４、カメラ処理回路１５、画像メモリ１６、グラフィックＩ／Ｆ１８、入力部２０およびＲ／Ｗ２１は制御部１７に接続されている。また、制御部１７はプログラムを実行することにより、画像処理装置１１を構成するブロック分割部２、情報取得部３、アドバイス決定部４、比較部６、画像処理部７として機能する。
【００３３】
光学撮像系１１は、被写体からの光を撮像素子１２に集光するためのレンズ、レンズを移動させてフォーカス合わせやズーミングを行うための駆動機構、シャッタ機構、アイリス機構などから構成されている。これらは制御部１７からの制御信号に基づいて駆動される。光学撮像系１１を介して得られた被写体の光画像は、撮像デバイスとしての撮像素子１２上に結像される。
【００３４】
撮像素子１２は、タイミングジェネレータ１３から出力されるタイミング信号に基づいて駆動され、被写体からの入射光を光電変換して電荷量に変換し、アナログ撮像信号として出力する。撮像素子１２から出力されるアナログ撮像信号は前処理回路１４に出力される。撮像素子１２としては、ＣＣＤ（Charge Coupled Device）、ＣＭＯＳ（Complementary Metal Oxide Semiconductor）などが用いられる。タイミングジェネレータ１３は、制御部１７の制御に従い撮像素子１２に対してタイミング信号を出力する。
【００３５】
前処理回路１４は、撮像素子１２から出力されたアナログ撮像信号に対して、ＣＤＳ（Correlated Double Sampling）処理によりＳ／Ｎ（Signal／Noise）比を良好に保つようにサンプルホールドなどを行う。さらに、ＡＧＣ（Auto Gain Control）処理により利得を制御し、Ａ／Ｄ（Analog/Digital）変換を行ってデジタル画像信号を出力する。
【００３６】
カメラ処理回路１５は、前処理回路１４からの画像信号に対して、ホワイトバランス調整処理や色補正処理、ガンマ補正処理、Ｙ／Ｃ変換処理、ＡＥ（Auto Exposure）処理な
どの信号処理を施す。
【００３７】
画像メモリ１６は、揮発性メモリ、例えば、ＤＲＡＭ（Dynamic Random Access Memory）で構成されるバッファメモリであり、前処理回路１４およびカメラ処理回路１５によって所定の処理が施された画像データを一時的に蓄えておくものである。
【００３８】
制御部１７は、例えばＣＰＵ、ＲＡＭおよびＲＯＭなどから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１００全体の制御を行う。また、制御部１７は所定のプログラムを実行することにより、ブロック分割部２、情報取得部３、アドバイス決定部４、比較部６、画像処理部７として機能する。
【００３９】
グラフィックＩ／Ｆ１８は、制御部１７から供給された画像信号から、表示部１９に表示させるための画像信号を生成して、この信号を表示部１９に供給することにより画像を表示させる。表示部１９は、例えば、ＬＣＤ（Liquid Crystal Display）、ＰＤＰ(Plasma Display Panel)、有機ＥＬ(Electro Luminescence)パネルなどにより構成された表示手段である。表示部１９には、撮像中のスルー画、記憶媒体２２に記録された画像などが表示される。表示部が画像処理装置１における提示部５として機能する。
【００４０】
入力部２０は、例えば、電源オン／オフ切り替えのための電源ボタン、撮像画像の記録の開始を指示するためのレリーズボタン、ズーム調整用の操作子、表示部１９と一体に構成されたタッチスクリーンなどからなる。入力部２０に対して入力がなされると、その入力に応じた制御信号が生成されて制御部１７に出力される。そして、制御部１７はその制御信号に対応した演算処理や制御を行う。
【００４１】
Ｒ／Ｗ２１には、撮像により生成された画像データなどを記録する記録媒体２２が接続されるインターフェースである。Ｒ／Ｗ２１は、制御部１７から供給されたデータを記憶媒体２２に書き込み、また、記憶媒体２２から読み出したデータを制御部１７に出力する。記憶媒体２２は、例えば、ハードディスク、メモリースティック（ソニー株式会社の登録商標）、ＳＤメモリーカードなどの大容量記憶媒体である。画像は例えばＪＰＥＧなどの規格に基づいて圧縮された状態で保存される。また、保存された画像に関する情報、撮像日時などの付加情報を含むＥＸＩＦ（Exchangeable Image File Format）データもその画像に対応付けられて保存される。
【００４２】
なお、画像処理装置１に相当する機能は、撮像装置１００にあらかじめ設けられていてもよいし、アプリケーションとして提供され、撮像装置１００にそのアプリケーションをインストールすることにより、撮像装置１００が画像処理装置１の機能を有するようにしてもよい。
【００４３】
［１−３．画像処理装置による処理］
次に、撮像装置１００において画像処理装置１によりなされる処理について説明する。図３はフォトモザイク生成処理の流れを示すフローチャートである。図４は、画像処理装置１による処理を行うにあたって表示部に表示される画面の例である。
【００４４】
まず、ステップＳ１で、フォトモザイク作成の目標となる画像である目標画像の入力を受け付ける。目標画像の入力の受付としては、まず、撮像装置１００による撮像で得た画像、あらかじめ画像処理装置１がテンプレートとして保持している画像、ユーザが外部の記憶媒体から画像処理装置１に取り込んだ画像などを、図４Ａに示されるように表示部にそれらを表示する。そして、ユーザからの目標画像の選択を受け付ける。ユーザによる目標画像の選択操作は入力部２０に対して行われる。目標画像はブロック分割部２に供給される。
【００４５】
次にステップＳ２で、ブロック分割部２により、目標画像が複数の所定サイズのブロックに分割される。図４Ｂは、複数のブロックに分割された目標画像の一部を拡大した状態を示すものである。通常、フォトモザイクにおけるブロックのサイズは小さいため、図４Ｂに示されるように、表示部に表示する場合には、ユーザの操作に応じて画像を拡大または縮小させ、目標画像の一部を拡大して表示することができるようにするとよい。
【００４６】
次にステップＳ３で、情報取得部３により、目標画像の全ブロックの色相、輝度の取得が行われる。次にステップＳ４で、ユーザからのブロック選択入力を受け付ける。ブロック選択とは、多数のブロックの中から入力画像で置換することにより埋めるブロックを選択するものである。ブロック選択は、例えば、図４Ｂに示されるようにブロック上にカーソル３００を重畳表示し、ユーザが入力部２０に対する入力でそのカーソル３００を移動させることにより行われる。
【００４７】
そして、ユーザによるブロックの選択を受け付けると、次にステップＳ５で、図４Ｃに示されるように、フォトモザイク作成のために、選択されたブロックに置換すべき入力画像の条件を示すアドバイス表示が行われる。このアドバイスの内容は情報取得部３により取得したブロックの画像についての情報に基づき、アドバイス決定部４により決定されるものである。
【００４８】
図４Ｃに示されている「Need Color」は選択されたブロックの色相に基づき、入力画像の色相として最適な色を示すものである。これは、情報取得部３によるブロック解析で取得したブロックの色相に基づくものである。「Need Color：Blue」とは、選択されたブロックの色相の平均が青であるため、入力画像として色相の平均が青い画像が必要であることを示している。
【００４９】
また、「Photo Spot」は「Need color」に示された色の画像を得るために、最適な撮影場所、被写体などをユーザに提示するものである。「Photo Spot：Beach」は、青色の画像を取得するためにはビーチで撮影を行うのが最適であるということをユーザにアドバイスしている。この「Photo Spot」の提示は、例えば、あらかじめ画像処理装置１内に、色相と撮影場所、被写体などを対応させたテーブルを設けておき、色相に基づいてそのテーブルを参照することにより行うことができる。色相に対応する撮影場所、被写体などが複数ある場合には、その中からランダムに提示してもよい。
【００５０】
また、撮像装置１００がＧＰＳ（Global Positioning System）機能を備えている場合には、ＧＰＳにより撮像装置１００を持つユーザの位置を把握し、ユーザの位置に近い撮影場所、被写体などを提示するようにしてもよい。さらに、撮像装置１００の時計機能などから時刻情報を取得し、時刻に基づいてアドバイスを行なってもよい。例えば、「Need color」が赤色であり、時刻が夕方の場合には「Photo Spot」として空を撮影することをアドバイスする、などである。
【００５１】
さらにステップＳ５では、図５Ａに示されるように、撮像についてのアドバイスを表示するようにしてもよい。撮像についてのアドバイスとしては、露出値、Ｆ値（絞り値）、シャッタースピード、ホワイトバランス、撮像装置１００特有のエフェクト機能などの撮像装置１００の各種設定が提示される。この撮像装置１００の各種設定は、情報取得部３によって取得したブロックの色相、輝度などに基づいて決定するとよい。例えば、選択されたブロックが黒いために暗い画像を入力画像とする必要がある場合にはシャッタースピードを速くする、などである。また、図５Ｂに示されるように、複数の撮像装置１００の設定を提示し、ユーザにそのうちのいずれかを選択させるようにしてもよい。
【００５２】
このように、アドバイスの提示を行うことにより、ユーザはより容易にフォトモザイク作成を行うことができるとともに、撮像装置１００の各種設定、機能に対する理解を深めることもできる。
【００５３】
次にステップＳ６で、入力画像の受け付けが行われる。入力画像は例えば、撮像装置１００による撮像により取得した画像、あらかじめ撮像し、メモリなどに保存してある画像などである。上述したように、入力された入力画像は比較部６に供給される。
【００５４】
次にステップＳ７で、比較部６により入力画像と選択ブロックとの比較判定が行われる。ここで、図６のフローチャートを参照して、比較部６による比較判定について説明する。図６は、比較部６による処理の流れを示すフローチャートである。
【００５５】
まずステップＳ１０１で、ｉ＝０に設定される。このｉは、ステップＳ１０２以降の比較結果によって加算されるものであり、最終的にステップＳ１０６でこのｉの値が０であるか否かを確認することにより、選択ブロックと入力画像とが一致しているか否かを判定する。
【００５６】
次にステップＳ１０２で、入力画像の色相と選択ブロックの色相とが一致するか否かが判定される。この色相の比較は、選択ブロックの全体の色相の平均を基準とした所定の範囲内に入力画像全体の色相の平均が含まれるか否かを判断することによって行われる。選択ブロックの色相を基準とした範囲内に入力画像の色相が含まれる場合には、色相が一致していると判定される。一方、選択ブロックの色相を基準とした範囲内に入力画像の色相が含まれない場合には、色相は一致しないと判定される。
【００５７】
入力画像の色相が選択ブロックの色相に一致しないと判定された場合処理はステップＳ１０３に進む（ステップＳ１０２のＮｏ）。そして、ステップＳ１０３で、ｉに１が加算される（ｉ＝ｉ＋１）。そして、処理はステップＳ１０４に進む。また、ステップＳ１０２で、入力画像の色相が選択ブロックの色相に一致すると判定された場合も処理はステップＳ１０４に進む（ステップＳ１０２のＹｅｓ）。
【００５８】
次にステップＳ１０４で、入力画像の輝度と選択ブロックの輝度とが一致するか否かが判定される。この輝度の判定は、選択ブロックの全体の輝度の平均を基準とした所定の範囲内に入力画像全体の輝度の平均が含まれるか否かを判断することによって行われる。選択ブロックの輝度を基準とした範囲内に入力画像の輝度が含まれる場合には、輝度が一致していると判定される。一方、選択ブロックの輝度を基準とした範囲内に入力画像の輝度が含まれない場合には、輝度は一致しないと判定される。
【００５９】
入力画像の輝度が選択ブロックの輝度に一致しないと判定された場合処理はステップＳ１０５に進む（ステップＳ１０４のＮｏ）。そしてステップＳ１０５で、ｉに１が加算される（ｉ＝ｉ＋１）。次に処理はステップＳ１０６に進む。またステップＳ１０４で、入力画像の輝度が選択ブロックの輝度に一致すると判定された場合も処理はステップＳ１０６に進む（ステップＳ１０４のＹｅｓ）。
【００６０】
なお、ステップＳ１０２における色相の比較と、ステップＳ１０４における輝度の比較は順不同であり、図６に示される順序ではなく、輝度の比較を先に行なってもよい。
【００６１】
次にステップＳ１０６で、「ｉ＞０」であるか否かが判定される。「ｉ＞０」ではない場合には入力画像と選択ブロックとは一致していると判定される。これは、「ｉ＞０」ではないということは、上述のステップＳ１０３またはステップＳ１０５でｉに１が加算されておらず、選択ブロックと入力画像とは、色相も輝度も一致していると判定されているからである。
【００６２】
一方、「ｉ＞０」である場合には入力画像と選択ブロックとは一致しないと判定される。これは、上述のステップＳ１０３および／またはステップＳ１０５でｉに１が加算され、選択ブロックと入力画像とは、色相および／または輝度が一致していないからである。このようにして、選択ブロックと入力画像との比較判定が行われる。
【００６３】
また、比較部６による比較判定は、図７に示されるフローチャートのように、パラメータを増やしてもよい。パラメータが追加されるのは、アドバイスとして撮像装置１００の各種設定を提示した場合である。なお、図７のフローチャートにおいてステップＳ１０１乃至ステップＳ１０８までは図６に示されるフローチャートと同一であるためその説明を省略する。
【００６４】
まずステップＳ１０１で、ｉ＝０に設定されると、次にステップＳ２０１で、撮像に関する設定が一致するか否かが判定される。この判定は、比較部６が、撮像装置１００における各種設定を行う制御部１７などから撮像時の設定内容を示す情報を取得することにより行うことができる。
【００６５】
ステップＳ２０１で、撮像に関する設定が一致しないと判定された場合、処理はステップＳ２０２に進む（ステップＳ２０１のＮｏ）。そして、ステップＳ２０２でｉに１が加算される（ｉ＝ｉ＋１）。そして、処理はステップＳ２０３に進む。なお、ステップＳ２０１で撮像に関する設定が一致すると判定された場合にも処理はステップＳ２０３に進む（ステップＳ２０１のＹｅｓ）。
【００６６】
次にステップＳ２０３で、撮像に関する設定が一致するか否かが判定される。撮像に関する設定が一致しないと判定された場合、処理はステップＳ２０４に進む（ステップＳ２０２のＮｏ）。そして、ステップＳ２０４でｉに１が加算される（ｉ＝ｉ＋１）。そして、処理はステップＳ１０２に進む。なお、ステップＳ２０３で撮像に関する設定が一致すると判定された場合にも処理はステップＳ１０２に進む（ステップＳ２０３のＹｅｓ）。
【００６７】
なお、図７のフローチャートにおいては、撮像に関する設定についての比較判定は２つ記載してあるが、これは撮像に関する設定についての比較判定は必ず２つであるということを示すものではない。２つ以上でもよいし、２つ以下でもよい。撮像設定についての比較判定はアドバイスとしてユーザに提示した撮像に関する設定の数だけ行うようにするとよい。例えば、露出値のみについてアドバイスを行った場合には、露出値についての比較判定１つのみ行うこととなる。
【００６８】
図３のフローチャートの説明に戻る。ステップＳ７で、比較部６により入力画像と選択ブロックとが一致していないと判定された場合、処理はステップＳ６に進む（ステップＳ７のＮｏ）。そして、再度ステップＳ６で入力画像の受け付けが行われる。よって、比較部６により入力画像と選択ブロックとが一致すると判定されるまで、ステップＳ６の入力画像の受け付けと、ステップＳ７の比較判定が繰り返される。この場合、ユーザは入力画像と選択ブロックとが一致するとの比較結果を得るために、異なる画像を入力する必要がある。
【００６９】
ステップＳ７で、比較部６により入力画像と選択ブロックとが一致していると判定された場合、処理はステップＳ８に進む（ステップＳ７のＹｅｓ）。そして、ステップＳ８で画像処理部７により、選択ブロックの画像と入力画像との置換処理が行われる。
【００７０】
なお、比較部６による比較判定を行った後、図８に示されるように比較結果をユーザに提示するとよい。図８は、比較結果表示画面の例を示すものである。図８Ａおよび図８Ｂの例では、左上に比較判定がなされた入力画像が表示され、左下には各種撮影設定の内容が表示されている。また、右上には、入力された入力画像のＲＧＢＹのヒストグラムが表示されている。さらにその入力画像のヒストグラム上に破線で選択ブロックのＲＧＢＹのヒストグラムのアウトラインが重ねて表示されている。これにより、ユーザは、選択ブロックと入力画像とがどの程度ずれているのか、どのような色を加えて撮像を行えばよいかなどを容易に理解することができる。
【００７１】
図８Ａの比較結果表示画面においては、右下に「TRY AGAIN」と表記されたソフトウェアボタンが表示されている。これは、比較結果表示画面右上のヒストグラムからわかるように、入力画像のヒストグラムと選択ブロックのヒストグラムのアウトラインとが近似しておらず、比較判定の結果、選択ブロックと入力画像と一致してないと判断された場合に表示されるものである。ユーザが「TRY AGAIN」の表記されたソフトウェアボタンを選択することによって、再度撮像装置１００による撮像などに画像入力を行う状態に遷移する。その際、図４Ｂ、図４Ｃに示されるようなガイド、アドバイスを再度表示するようにしてもよい。また、比較結果表示画面の左下に表示してある撮像設定がアドバイスとずれている場合にはその撮像設定の文字を点灯させる、文字に色を付すなどによりユーザにずれていることを提示するとよい。
【００７２】
一方、図８Ｂの比較結果表示画面においては、右下に「CLEAR」と表記されたソフトウェアボタンが表示されている。これは、比較結果表示画面右上のヒストグラムからわかるように、入力画像のヒストグラムと選択ブロックのヒストグラムのアウトラインとが近似しており、比較判定の結果、選択ブロックと入力画像と一致していると判断された場合に表示されるものである。ユーザが比較結果を確認した後に「CLEAR」と表記されたソフトウェアボタンを選択することによって、画面は選択ブロックの画像と入力画像とを置換するモードに遷移する。なお、「TRY AGAIN」、「CLEAR」という表記は例示であり、これに限られるものではない。ユーザ選択ブロックと入力画像と一致したと判定されたことが理解出来ればどのような文字の表記でもよいし、文字以外にもアイコン、キャラクタなどでもよい。
【００７３】
また、ヒストグラム以外の表示方法としては図９に示されるようなものもある。図９は、比較結果表示画面の第２の例を示すものである。図９の例では、左上に比較判定がなされた入力画像が表示され、左下には各種撮影設定の内容が表示されている。また、右上には色相環が表示されている。ヒストグラムの値から図１０に示される式により色相を求めて、色相環上に入力画像の色相（図９のおいては「NOW」と表示）を点によって表す。また、選択ブロックの色相（図９においては「GOAL」と表示）も色相環上に点として表す。これにより、ユーザは、自らが入力した入力画像の色相を容易に把握することができるとともに、選択ブロックの色相と入力画像の色相の関係も容易に把握することができる。これにより、ユーザは、選択ブロックと入力画像の色相が近い関係にあるのか、どのような色を加えて撮像を行えばよいかなどを容易に理解することができる。
【００７４】
さらに、色相環の内側には輝度を表す棒グラフが表示されている。ヒストグラムの値から図１０に示される式により輝度を求めて、輝度を表す棒グラフ上に入力画像の輝度（図９のおいては「NOW」と表示）を点として表す。また、選択ブロックの輝度（図９においては「GOAL」と表示）も点によって表す。これにより、ユーザは、自らが入力した入力画像の輝度を容易に把握することができるとともに、選択ブロックの輝度と入力画像の輝度の関係も容易に把握することができる。これにより、ユーザは、選択ブロックと入力画像の輝度が近い関係にあるのか、どのような画像を入力すればよいのかなどを容易に理解することができる。なお、比較結果表示画面における画像、文字、ヒストグラム、色相環の配置などは図８または図９に示されるものに限られない。
【００７５】
図３のフローチャートの説明に戻る。次にステップＳ８で、画像処理部７により選択ブロックの画像と入力画像との置換処理が行われる。図１１Ａおよび図１１Ｂは、選択ブロックの画像が、比較判定で選択ブロックに一致すると判定された入力画像に置換される表示態様を示す図である。
【００７６】
選択ブロックの画像を入力画像で置換する際は、表示部における表示態様により視覚的にわかりやすく表示してユーザに提示するとよい。図１１Ａは第１の表示例である。第１の表示例では、まず、図８Ｂまたは図９Ｂに示される比較結果表示画面に表示されている入力画像以外領域がブロック表示画面に切り替わる。そして、入力画像が徐々に縮小しながら選択ブロックへ移動していくアニメーション表示を経て、選択ブロックの画像が入力画像に置換される。
【００７７】
また、図１１Ｂは第２の例である。第２の例も第１の例と同様にまず、図８Ｂまたは図９Ｂに示される比較結果表示画面の画像以外領域がブロック表示画面に切り替わる。そして、入力画像が回転しながら縮小していき、選択ブロックへ移動していくアニメーション表示を経て、選択ブロックの画像が入力画像に置換される。
【００７８】
このように選択ブロックの画像の入力画像への置換をアニメーション表示により行うことによって、入力画像と選択ブロックとが一致し、入力画像がフォトモザイクの一部となったことをユーザに容易に把握させることができる。また、視覚的な楽しみ、ゲーム感覚などもユーザに提供することもできる。
【００７９】
図３のフローチャートの説明に戻る。ステップＳ８で画像の置換行われたら、次に処理はステップＳ９に進む。そして、全てのブロックが入力画像で置換されていない場合には処理はステップＳ４に進み、再び入力画像の受け付けが行われる。一方、全てのブロックが入力画像により置換された場合、すなわちフォトモザイクが完成した場合には処理は終了となる（ステップＳ９のＹｅｓ）。
【００８０】
このように、本技術によれば、ゲーム感覚でフォトモザイクの作成を行うことができるとともに、自ら画像を集めていくことで、ユーザは達成感を味わうことができる。また、ヒストグラム、もしくは色相の円環グラフ、輝度の棒グラフを用いることで、適切な画像が入力できているかを簡単に確認することができる。また、フォトモザイク作成の進捗具合を逐一確認することができる。さらに、アドバイスを参考にしながら、目標達成のために様々な操作性を用いて撮影することで、撮影技術力の向上が見込むことができる。
【００８１】
＜２．第２の実施の形態＞
［２−１．画像処理装置の構成］
次に本技術の第２の実施の形態について説明する。図１２は、第２の実施の形態に係る画像処理装置１０の構成を示すブロック図である。第２の実施の形態は画像補正部８を備える点で第１の実施の形態と異なる。画像補正部８以外の構成は第１の実施の形態と同様であるため、説明を省略する。
【００８２】
第２の実施の形態に係る画像処理装置１０は、アシスト機能を備えるものである。アシスト機能がオンの場合には、比較部６は、入力画像が選択ブロックに一致しているか否かの判定をアシスト機能がオフの状態に比べて緩い条件で行う。
【００８３】
色相の比較は、選択ブロックの全体の色相の平均を基準とした上限閾値と下限閾値とからなる所定の範囲内に入力画像全体の色相の平均が含まれるか否かを判断することによって行われる。アシスト機能がオンである場合、この選択ブロックの全体の色相の平均を基準とした上限閾値と下限閾値とからなる範囲をアシスト機能がオフである場合に比べて広く設定する。輝度、撮像設定についての比較判定も同様して範囲を広げて行われる。このようにして、アシスト機能がオフの状態に比べて緩い条件で行う比較判定を行う。これにより、選択ブロックと入力画像とが一致するという判定を得やすくすることができる。上限閾値と下限閾値とからなる範囲をどの程度広くするかは、予め定めていてもよいし、ユーザが設定することができるようにしてもよい。
【００８４】
画像補正部８は、アシスト機能がオンの場合に、入力画像が選択ブロックにより近づくように所定の画像補正処理を施す。上述のようにアシスト機能により、選択ブロックと入力画像とがある程度異なるものであってもそれらは一致していると判定されるため、最終的に完成するフォトモザイクに違和感が生じないように入力画像を補正する。
【００８５】
画像補正部８は、入力画像の色相を選択ブロックの色相に一致させるように、例えば、ＲＧＢのゲインを調整することにより色補正処理を施すものである。また、入力画像の輝度を選択ブロックの輝度に一致させるように、例えば、入力輝度レベルに対して所定の演算を行い出力輝度レベルを調整することにより輝度補正処理を施すものである。
【００８６】
このアシスト機能により、ユーザはより容易にフォトモザイクを作成することが可能となる。アシスト機能のオン・オフは例えば、画像処理装置１０が用いられる撮像装置などの入力部に対するユーザからの入力で切り替えることができるようにするとよい。
【００８７】
図１３は、第２の実施の形態に係る画像処理装置２００を備える撮像装置の構成を示すブロック図である。なお、撮像装置２００の構成は第１の実施の形態の撮像装置１００と同様であるため、その説明を省略する。
【００８８】
［２−２．画像処理装置による処理］
次に、第２の実施の形態における画像処理について説明する。図１４は、画像処理の流れを示すフローチャートである。なお、ステップＳ１乃至ステップＳ８は第１の実施の形態と同様であるためその説明を省略する。
【００８９】
ステップＳ３におけるブロックの解析後、ステップＳ２１でアシスト機能がオンであるか否かが判定される。アシスト機能がオフである場合、処理はステップＳ４に進み、ステップＳ４乃至ステップＳ９で第１の実施の形態と同様の処理が行われる。
【００９０】
一方、アシスト機能がオンである場合、処理はステップＳ２１からステップＳ２２に進む（ステップＳ２１のＹｅｓ）。ステップＳ２２乃至ステップＳ２４は第１の実施の形態のステップＳ４乃至ステップＳ６と同様である。
【００９１】
ステップＳ２５で、比較部６により入力画像と選択ブロックとの比較判定が行われる。比較部６による比較判定は図６または図７に示されるフローチャートに基づいて行われることは第１の実施の形態と同様である。
【００９２】
色相の比較は、選択ブロックの全体の色相の平均を基準とした所定の範囲内に入力画像全体の色相の平均が含まれるか否かを判断することによって行われる。アシスト機能がオンである場合、この選択ブロックの全体の色相の平均を基準とした所定の範囲をアシスト機能がオフである場合に比べて広く設定する。輝度、撮像設定についての比較判定も同様して範囲を広げて行われる。これにより、選択ブロックと入力画像とが一致するという判定を得やすくすることができる。
【００９３】
比較部６により選択ブロックと入力画像とが一致しているとは判定されなかった場合処理はステップＳ２４に進み、再度の入力画像の受付が行われる（ステップＳ２５のＮｏ）。
【００９４】
一方、ステップＳ２５で選択ブロックと入力画像とが一致していると判定された場合、処理はステップＳ２６に進む（ステップＳ２５のＹｅｓ）。そしてステップＳ２６で画像補正部８により入力画像に対する補正処理が行われる。
【００９５】
画像補正部８による画像補正は上述のように、入力画像の色相を選択ブロックの画像の色相に一致させるように、例えば、ＲＧＢのゲインを調整することにより行う。また、入力画像の輝度を選択ブロックの輝度に一致させるように、例えば、入力輝度レベルに対して所定の演算を行い、出力輝度レベルを調整することにより行う。
【００９６】
次にステップ２７で、画像処理部７により、選択ブロックの画像が入力画像に置換させる。この画像の置換は、第１の実施の形態において図１１を参照して説明したものと同様にして行われる。
【００９７】
ステップＳ２７で選択ブロックの画像と入力画像との置換が行われたら、次に処理はステップＳ２８に進む。そして、全てのブロックが入力画像で置換されていない場合には処理はステップＳ２２に進み、再び入力画像の受け付けが行われる。一方、全てのブロックが入力画像により置換された場合、すなわちフォトモザイクが完成した場合には処理は終了となる（ステップＳ２８のＹｅｓ）。
【００９８】
図３、図１４のフローチャートにおいては、全てのブロックが置換されていない場合、入力画像の受け付けに処理が進む。ただし、全てのブロックが置換されていない場合、ステップＳ２１に進み、入力画像の受け付けごとにアシスト機能のオン・オフを確認するようにしてもよい。
【００９９】
なお、ブロックの選択後、入力画像を受け付けた場合、その入力画像が選択ブロックに一致するかだけではなく、その入力画像が目標画像を構成する全てのブロックに一致するかを判断するようにしてもよい。これは、図３および図１４のフローチャートにおいて、入力画像を受け付ける前にブロックの解析を行なっているため、そのブロック解析結果を用いて、入力画像と全てのブロックの比較判定を行うことにより実現できる。
【０１００】
ユーザが選択したブロックと入力画像とが一致しない場合であっても、他のブロックと入力画像とが一致する場合には、例えば図１５に示されるように、入力画像に一致する他のブロックを点滅アイコン４００などによりユーザに提示するとよい。また、ユーザが選択したブロックと入力画像とが一致した場合であっても、その入力画像を他のブロックに流用できることをユーザに提示してもよい。
【０１０１】
第２の実施の形態によれば、選択ブロックと入力画像とを容易に一致させることができるので、さらに容易にフォトモザイクの作成を行うことができる。
＜３．変形例＞
以上、本技術の一実施の形態について具体的に説明したが、本技術は上述の実施形態に限定されるものではなく、本技術の技術的思想に基づく各種の変形が可能である。
【０１０２】
上述の実施の形態では、画像処理装置をデジタルスチルカメラなどの撮像装置に適用する場合について説明したが、それ以外の装置、機器に対しても本技術を適用することができる。例えば、デジタルビデオカメラや、カメラ機能を備える携帯電話機、携帯ゲーム機、スマートフォン、タブレット端末、パーソナルコンピュータなどにも適用可能である。
【０１０３】
それら機器のうち、ディスプレイを２つ以上有している機器においては、一方のディスプレイに図４Ｂ、図４Ｃに示されるようなブロック表示とアドバイス表示を行い、他方のディスプレイにスルー画、撮影済みの画像などを表示するようにしてもよい。これにより、画面表示を切り替える頻度が減るとともに、常に２つの画面から情報を得ることができるので効率よくフォトモザイク作成を行うことができる。
【０１０４】
なお、本技術は以下のような構成も取ることができる。
【０１０５】
（１）第１の画像を複数のブロックに分割するブロック分割部と、
前記複数のブロックに関する情報を取得する情報取得部と、
入力される第２の画像に関する情報と前記ブロックに関する情報を比較する比較部と、
該比較部による比較結果に応じて、前記ブロックにおける画像を前記第２の画像に置換する画像処理部と
を備える画像処理装置。
【０１０６】
（２）前記比較部による比較結果をユーザに提示する提示部を更に備える
前記（１）に記載の画像処理装置。
【０１０７】
（３）前記情報取得部は、前記ブロックに関する情報として前記ブロックの色相を取得する
前記（１）または（２）に記載の画像処理装置。
【０１０８】
（４）前記情報取得部は、前記ブロックに関する情報として前記ブロックの輝度を取得する
前記（１）から（３）のいずれかに記載の画像処理装置。
【０１０９】
（５）前記提示部は、前記ブロックに関する情報と、前記入力された第２の画像の色相とを、視覚的に分かるように提示する
前記（２）に記載の画像処理装置。
【０１１０】
（６）前記提示部は、色相環上に前記ブロックの色相と、前記入力された第２の画像の色相を表示することにより前記比較結果を提示する
前記（５）に記載の画像処理装置。
【０１１１】
（７）前記提示部は、輝度を示す棒グラフ上に前記ブロックの輝度と、前記入力された第２の画像の輝度を表示することにより前記比較結果を提示する
前記（５）に記載の画像処理装置。
【０１１２】
（８）前記提示部はさらに、前記ブロックの色相を、入力すべき画像の色相としてユーザに提示する
前記（２）に記載の画像処理装置。
【０１１３】
（９）前記提示部はさらに、前記ブロックの色相に関連する被写体名を入力すべき画像の被写体として提示する
前記（２）または（８）に記載の画像処理装置。
【０１１４】
（１０）前記提示部はさらに、前記ブロックの色相に関連する撮影場所名を入力すべき画像の被写体として提示する
前記（２）、（８）、（９）のいずれかに記載の画像処理装置。
【０１１５】
（１１）前記提示部は、入力すべき画像を得るための撮像装置の設定情報を提示する
前記（２）から（９）のいずれかに記載の画像処理装置。
【０１１６】
（１２）前記比較部は、通常より緩い条件で前記第２の画像に関する情報と前記ブロックに関する情報を比較するモードを備える
前記（１）から（１０）のいずれかに記載の画像処理装置。
【０１１７】
（１３）前記ブロックの色相と、前記第２の入力画像の色相とが一致するように前記第２の画像に対して画像補正処理を施す画像補正部をさらに備える
前記（１１）に記載の画像処理装置。
【０１１８】
（１４）前記ブロックの輝度と、前記第２の入力画像の輝度とが一致するように前記第２の画像に対して画像補正処理を施す画像補正部をさらに備える
前記（１１）または（１２）に記載の画像処理装置。
【０１１９】
（１５）第１の画像を複数のブロックに分割し、
前記複数のブロックに関する情報を取得し、
入力される第２の画像に関する情報と前記ブロックに関する情報を比較し、
比較結果に応じて、前記ブロックにおける画像を前記第２の画像に置換する
画像処理方法。
【０１２０】
（１６）第１の画像を複数のブロックに分割し、
前記複数のブロックに関する情報を取得し、
入力される第２の画像に関する情報と前記ブロックに関する情報を比較し、
比較結果に応じて、前記ブロックにおける画像を前記第２の画像に置換する
画像処理方法をコンピュータに実行させる画像処理プログラム。
【０１２１】
（１７）光学系を介した光を受光して画像を生成する撮像部と、
第１の画像を複数のブロックに分割するブロック分割部と、
前記複数のブロックに関する情報を取得する情報取得部と、
前記撮像部により生成される第２の画像に関する情報と前記ブロックに関する情報を比較する比較部と、
該比較部による比較結果に応じて、前記ブロックにおける画像を前記第２の画像に置換する画像処理部と
を備える撮像装置。
【符号の説明】
【０１２２】
１、１０・・・・・画像処理装置
２・・・・・・・・ブロック分割部
３・・・・・・・・情報取得部
６・・・・・・・・比較部
７・・・・・・・・画像処理部
５・・・・・・・・提示部
８・・・・・・・・画像補正部
１００、２００・・撮像装置
【図１】
2013246576.tif 000003
【図２】
2013246576.tif 000004
【図３】
2013246576.tif 000005
【図４】
2013246576.tif 000006
【図５】
2013246576.tif 000007
【図６】
2013246576.tif 000008
【図７】
2013246576.tif 000009
【図１０】
2013246576.tif 000010
【図１２】
2013246576.tif 000011
【図１３】
2013246576.tif 000012
【図１４】
2013246576.tif 000013
【図１５】
2013246576.tif 000014
【図８】
2013246576.tif 000015
【図９】
2013246576.tif 000016
【図１１】
2013246576.tif 000017